(57)【要約】【課題】ワイヤーロープとスィベルジョイントとの連結部の信頼性を高め、デザイン的にも優れ、連結部の見栄えの良くするスィベルジョイントを提供する。【解決手段】軸心に連結用貫通孔６を有する一対の頭部付きボルト１,２を、頭頂面を突き合わせて背向的に配し、連結用貫通孔６に連結軸３を緩挿して両頭部付きボルト１,２を回転自在に連結し、両頭部付きボルトのボルト本体１ａ,２ａに、外方の端部に連結部７ｂを有する連結部材４,５をそれぞれに螺合固着した。【選択図】  図１
2005321039.tif 000002
【特許請求の範囲】
【請求項１】
軸心に連結用貫通孔を有する一対の頭部付きボルトを、頭頂面を突き合わせて背向的に配し、連結用貫通孔に緩挿した連結軸で両頭部付きボルトを回転自在に連結し、両頭部付きボルトのボルト本体に、外方の端部に連結部を有する連結部材を螺合固着したことを特徴とするスィベルジョイント。
【請求項２】
連結部材が、軸心に雌ねじ孔を貫通して設けた円筒体からなり、連結部材の内方の雌ねじ孔に頭部付きボルトのボルト本体を螺合固着し、外方の雌ねじ孔を螺合構造の連結部としたことを特徴とする請求項１記載のスィベルジョイント。
【請求項３】
連結部材の内方の雌ねじ孔を、外方の雌ねじ孔より径大に設定し、内方の雌ねじ孔に螺合固着したボルト本体長を、ボルト本体先端が内方の雌ねじ孔の中間部まで螺合する長さに設定したことを特徴とする請求項１又は２記載のスィベルジョイント。
【請求項４】
連結軸に、頭部付きねじ棒を用い、ねじ棒頭部と、ねじ棒本体の端部に螺合固着したフランジ部材を抜け止めにしたことを特徴とする請求項１記載のスィベルジョイント。
【発明の詳細な説明】
【技術分野】
【０００１】
本発明は、例えば、ワイヤーロープに組み付けられるスィベルジョイントに関するものであり、詳しくは、緊張状に張設されるワイヤロープに生じる緩みの解消や、より戻しの影響を解消するスィベルジョイントに関するものである。
【背景技術】
【０００２】
従来より、長期的に又は短期にワイヤーロープを張設して利用するようなことは、各方面で行われている。
【０００３】
例えば、建物の壁面に、適宜の間隔を離して壁面沿いにワイヤーロープを張設し、これに蔦状の植物を這わせるように育成したり、様々な植物を植えた植木鉢類を壁面に沿わせて吊したりすようなようなことが広く行われている。
【０００４】
また、このような目的のために使用される専用のワイヤーロープとしては、ロープ端部に、予め、連結用の雄ねじを突設した連結金具を取着したものも提供されている。
【０００５】
このワイヤーロープの具体的な張設例としては、壁面側に設けた受け部材に、ワイヤーロープの一方の端部は直接的にナット止めし、他方の端部には、スィベルジョイントを組み付けてスィベルジョイントを対応する受け部材にナット止めし、ワイヤーロープの一方の端部でナット止めされる雄ねじ長を調整してワイヤーロープの緊張を加減するような手法が採られている。
【０００６】
ここで、スィベルジョイントに市販製品を使用する場合、汎用のスィベルジョイントには、ワイヤーロープ端部に取着した連結金具の雄ねじを直接的にねじ込むことができないために、スィベルジョイントとの間に、ワイヤーロープ端部の雄ねじと連結するための雌ねじ孔を有する別の連結金具等が必要になる。
【０００７】
こうして、スィベルジョイントを組み付ける側のワイヤーロープ端部では、スィベルジョイントとの連結構造を複雑にし、別製の連結金具があると連結部の嵩張りを大きくして見栄えを悪くする。さらには、ワイヤーロープ端部とスィベルジョイントとの連結に使用される連結金具は、簡単に外されるようなこともあるので信頼性に欠ける面もある。
【発明の開示】
【発明が解決しようとする課題】
【０００８】
本発明は、このような状況に鑑みてなされたものであって、ワイヤーロープ端部にスィベルジョイントを組み付けるために、従来のような別製の連結金具等を必要とせず、ワイヤーロープ端部とスィベルジョイントとを直接的に連結して連結部をすっきりさせて見栄えを良くし、デザイン的にも優れ、信頼性の高い連結を可能にしたスィベルジョイントを提供することを目的としたものである。
【課題を解決するための手段】
【０００９】
上記の目的を達成するための本発明に係るスィベルジョイントは、軸心に連結用貫通孔を有する一対の頭部付きボルトを、頭頂面を突き合わせて背向的に配し、連結用貫通孔に緩挿した連結軸で両頭部付きボルトを回転自在に連結し、両頭部付きボルトのボルト本体に、外方の端部に連結部を有する連結部材を螺合固着したことを特徴とする。
【００１０】
ここで、本発明に係るスィベルジョイントは、連結部材の外方の端部の連結部に対し、ワイヤーロープ端部を延長状に直接的に連結して使用に供する。
【００１１】
こうして、本発明に係るスィベルジョイントとワイヤーロープ端部との連結は、直接的に連結されるので、連結部をすっきりさせて見栄えを良くし、デザイン的にも優れたものとなる。
【００１２】
また、連結部材に対するワイヤーロープ端部の連結は延長状に行われ、特に、連結部材との間で屈曲性は求められないので、連結部材が、軸心に雌ねじ孔を貫通して設けた円筒体からなり、連結部材の内方の雌ねじ孔に頭部付きボルトのボルト本体を螺合固着し、外方の雌ねじ孔を螺合構造の連結部とした構成にすると、ワイヤーロープには、ロープ端部に、雄ねじを有する連結金具を取着した汎用のワイヤーロープを使用し、このロープ端部の雄ねじを連結部材の外方の雌ねじ孔に直接的にねじ込んで連結することができる。そして、このねじ込みは、連結部材と、連結部材を螺合固着した頭部付きボルトを一体に回動させて行われるので、ワイヤーロープ自体が撚りを強めたり弱めたりするようなことがなく性状的に安定する。従って、連結部材に対するロープ端部の雄ねじの螺合長さを調整してワイヤーロープの緊張を予定する緊張度に適切に加減することができる。また、ロープ端部の雄ねじは、連結部材の外方の雌ねじ孔に螺合して連結されるので、連結部材とこれに螺合固着した頭部付きボルトを一緒に回動させない限りは、ワイヤーロープ端部とスィベルジョイントとの連結を外すことはできないので、信頼性の高い連結を可能にする。
【００１３】
前記構成において、連結部材の内方の雌ねじ孔を、外方の雌ねじ孔より径大に設定し、内方の雌ねじ孔に螺合固着したボルト本体長を、ボルト本体先端が内方の雌ねじ孔の中間部まで螺合する長さに設定した構成にすると、連結部材の内方の雌ねじ孔に対するボルト本体の螺合は、ボルト本体径を大きくするので、螺合長さは短くても、両者間の連結強度は充分な連結強度が得られる。また、連結部材の外方の雌ねじ孔に対するロープ端部の雄ねじの螺合では、この雄ねじの径は小さくても、雄ねじの長さを、連結部材の外方の雌ねじ孔の全長より長く設定しておけば、雌ねじ孔に対する螺合で、雄ねじ部先端が外方の雌ねじ孔部を超えて内方の雌ねじ孔内の空間に突出しても、ボルト本体への干渉がないので、ロープ端部の雄ねじと連結部材の外方の雌ねじ孔との螺合では、常に、外方の雌ねじ孔の全長螺合するように心掛けることで、両者間の連結強度は充分な連結強度が得られる。
【００１４】
前記構成において、連結軸に、頭部付きねじ棒を用い、ねじ棒頭部と、ねじ棒本体の端部に螺合固着したフランジ部材を抜け止めにした構成にすると、本発明に係るスィベルジョイントの主要構成部品が、入手が容易な市販製品に僅かな加工を加えて得られるので、生産性を向上して安価に提供できる。また、部品の加工方法も容易なために、例えば、使用現場の求めに応じて、両方の連結部材の外方の雌ねじ孔をそれぞれに異なる径にする等して使い勝手を良くしたスイベルジョイント等も、小ロットで容易に製作することができる。
【発明の効果】
【００１５】
本発明に係るスィベルジョイントによれば、ワイヤーロープ端部とスィベルジョイント間の連結に、シャックルのような自由に動く連結金具等を必要とせず、ワイヤーロープ端部とスィベルジョイントとを直接的に連結するので、堅固な連結を可能にして連結部の信頼性を高め、また、連結部の見栄えを良くし、取り扱いにも便利で使い勝手を良くする。また、主要構成部品は、入手が容易な市販製品に僅かな加工を加えて得られるので、生産性を向上して安価に提供できる。
また、部品の加工方法も容易なために、使用現場の求めに応じて使い勝手のよいスイベルジョイント等も、小ロットで容易に製作することができる。
【発明を実施するための最良の形態】
【００１６】
以下、図面を参照しながら、本発明の実施例に係るスィベルジョイントについて具体的に説明する。
【実施例１】
【００１７】
図１は本発明に係るスィベルジョイントの縦断面図、図２はスィベルジョイントの平面図である。
【００１８】
図において、スィベルジョイントＡは、一対の頭部付きボルト１,２と、両方の頭部付きボルト１,２を連結する連結軸３と、両方の頭部付きボルト１,２のボルト本体１ａ,２ａにそれぞれに螺合固着した連結部材４,５を主要構成としている。
【００１９】
前記の一対の頭部付きボルト１,２は、概略六角形状のボルト頭部１ｂ,２ｂを有し、ボルト頭部１ｂ,２ｂからボルト本体１ａ,２ａに掛け、中央軸心に連結用貫通孔６を設けたもので、両頭部付きボルト１,２は、その頭頂面を突き合わせて背向的に配し、連結用貫通孔６に連結軸３を緩挿して連結軸両端に抜け止め３ａ,３ｂを設けて両頭部付きボルト１,２を回転自在に連結している。
【００２０】
なお、実施の形態では、前記の連結軸３として頭部付きねじ棒を使用し、そのねじ棒頭部を一方の抜け止め３ａに使用し、他方の抜け止め３ｂには、ねじ棒本体の端部にフランジ部材を螺合固着してこれを離脱不能な処置を施して抜け止め３ｂに使用しているが、このようなフランジ部材を使用せずに、ねじ棒本体端部を連結用貫通孔６の開口端部に溶接して固着するか又は連結用貫通孔６の開口端部でねじ棒本体の端部を潰して（変形させて）これで抜け止めを図るようにしてもよい。
【００２１】
前記の連結部材４,５は円筒体からなり、中央軸心に貫通して雌ねじ孔７を設けている。この雌ねじ孔７は径大の内方の雌ねじ孔７ａと径小の外方の雌ねじ孔７ｂに分けられ、両方の頭部付きボルト１,２のボルト本体１ａ,２ａは、連結部材４,５の径大の内方の雌ねじ孔７ａにそれぞれ螺合固着させて両方の頭部付きボルト１,２と連結部材４,５の一体化が図られている。
【００２２】
また、両方の頭部付きボルト１,２のボルト本体１ａ,２ａにそれぞれ連結部材４,５を螺合固着して両方の頭部付きボルト１,２と連結部材４,５を一体化した状態で、ボルト本体１ａ,２ａの先端は内方の雌ねじ孔７ａの中間部まで達する長さに設定しており、また、両方の頭部付きボルト１,２と連結部材４,５を一体化した状態で、ボルト頭部１ｂ,２ｂの内側端面に、連結部材４,５の基端面が密着し、ボルト頭部１ｂ,２ｂ周りの各隅角部を連結部材４,５の外周面より外側に突出させている。
【００２３】
前記構成からなる本発明に係るスィベルジョイントＡを使用するには、両方の頭部付きボルト１,２のボルト本体１ａ,２ａにそれぞれ螺合固着した連結部材４,５の外方の雌ねじ孔７ｂが外部部材との連結に使用される。
【００２４】
例えば、図３に示すように、建物の壁面Ｂに適宜の間隔を採って壁面沿いにワイヤーロープＣを張設する場合について説明すれば、予め、壁面にはワイヤーロープを張設する間隔を採ってワイヤーロープの両端部を支持する受け部材Ｅを取着し、また、ワイヤーロープＣの端部には、連結部材４,５の外方の雌ねじ孔７ｂに適合する雄ねじｄを突設した連結金具Ｄを取着しておく。
【００２５】
ワイヤーロープＣの一方の端部（上端部）は、対応する受け部材Ｅに直接的にロープ端部の雄ねじ（図示せず）を介して連結する。ワイヤーロープＣの他方の端部（下端部）は、図示するように、対応する受け部材Ｅ間にスィベルジョイントＡを介装して連結するが、この連結には、先ず、別に用意したねじ棒ｄ′の端部をスィベルジョイントＡの対応する一方の連結部材５の外方の雌ねじ孔７ｂにねじ込み、このねじ棒ｄ′を受け部材Ｅにナット止めする等してスィベルジョイントＡを受け部材Ｅに取着する。次いで、スィベルジョイントＡの他方の連結部材４の外方の雌ねじ孔７ｂに、ロープ端部の雄ねじｄをねじ込む。このねじ込みにはスパナ等の回動工具を連結部材４と一体とするボルト頭部１ｂに係合させて連結部材４を回動させて行い、ワイヤーロープＡを予定する緊張度まで緊張させる。
【００２６】
こうして、ワイヤーロープＡの緊張時における連結部材４の回動は、当該連結部材４と一体とする頭部付きボルト１と一緒に回動させるので、ワイヤーロープＣ自体が回動して捻れ等を生じることはなく、ワイヤーロープＣは張設後も性状的に安定する。そして、ロープ張設時にワイヤーロープＣに掛かる張力の下でワイヤーロープＣ内部に撚り戻り応力が残されるような時は、スィベルジョイントＡが本来のスイベルジョイント機能を発揮してこの戻り応力はすぐに解消される。
【産業上の利用可能性】
【００２７】
本発明に係るスィベルジョイントＡは、一対の頭部付きボルト１ａ,２ａを始めとして、その主要構成部品が市販製品に簡単な加工を施して得られ、その組み立て及び取り扱いも簡単で容易であるので、ワイヤーロープの連結だけに限らず、チェーンその他の紐状製品にも組み付けることができるので、多方面に使用できて有用なものである。
【図面の簡単な説明】
【００２８】
【図１】本発明に係るスィベルジョイントの縦断面図である。
【図２】スィベルジョイントの平面図である。
【図３】使用状態を示す建物壁面の一部を示す斜視図である。
【符号の説明】
【００２９】
１  頭部付きボルト
１ａ  ボルト本体
１ｂ  ボルト頭部
２  頭部付きボルト
２ａ  ボルト本体
２ｂ  ボルト頭部
３  連結軸
３ａ  抜け止め
３ｂ  抜け止め
４  連結部材
５  連結部材
６  連結用貫通孔
７  雌ねじ孔
７ａ  内方の雌ねじ孔
７ｂ  外方の雌ねじ孔
Ａ  スィベルジョイント
Ｂ  壁面
Ｃ  ワイヤーロープ
Ｄ  連結金具
ｄ  雄ねじ体
ｄ′ねじ棒
Ｅ  受け部材
【図１】
2005321039.tif 000003
【図２】
2005321039.tif 000004
【図３】
2005321039.tif 000005